【手続補正書】
【提出日】平成27年4月27日(2015.4.27)
【手続補正１】
【補正対象書類名】特許請求の範囲
【補正対象項目名】全文
【補正方法】変更
【補正の内容】
【特許請求の範囲】
【請求項１】
先読み予告手段を備えた遊技台であって、
前記先読み予告手段は、複数種類の先読み予告を実行可能な手段であり、
前記複数種類の先読み予告のうちの一の先読み予告は、第一の先読み予告であり、
前記複数種類の先読み予告のうちの一の先読み予告は、第二の先読み予告であり、
前記第一の先読み予告は、表示による報知を含む先読み予告であり、
前記第二の先読み予告は、音による先読み予告であり、
前記第一の先読み予告が第一の状態において実行開始される確率は、第一の確率であり、
前記第一の先読み予告が第二の状態において実行開始される確率は、第二の確率であり、
前記第二の先読み予告が前記第一の状態において実行開始される確率は、第三の確率であり、
前記第二の先読み予告が前記第二の状態において実行開始される確率は、前記第三の確率であり、
前記第二の確率は、前記第一の確率よりも高い確率であり、
前記第一の状態は、装飾図柄の停止表示が少なくとも実行されている状態であり、
前記第二の状態は、前記装飾図柄の変動表示が少なくとも実行されている状態である、
ことを特徴とする遊技台。
【請求項２】
請求項１に記載の遊技台であって、
図柄表示手段を備え、
前記図柄表示手段は、図柄変動表示を実行可能な手段であり、
保留消化条件の成立があった場合に、保留が消化されるように構成されており、
前記保留消化条件の成立要件は、前記図柄変動表示の開始が保留されている前記保留の数が１以上であることを含む要件であり、
前記図柄変動表示は、前記保留が消化されたことに応じて開始される表示であり、
前記装飾図柄の変動表示は、前記図柄変動表示に合わせて実行が開始される表示であり、
前記装飾図柄の停止表示は、前記図柄変動表示の終了に合わせて実行が開始される表示であり、
前記第一の状態は、前記保留の数が１以上の状態である、
ことを特徴とする遊技台。
【請求項３】
請求項２に記載の遊技台であって、
前記図柄変動表示は、特別図柄の確定表示を含む表示であり、
前記装飾図柄の停止表示は、前記確定表示に応じて開始される表示である、
ことを特徴とする遊技台。
【請求項４】
請求項１乃至３のうちいずれか一項に記載の遊技台であって、
前記第一の状態は、大当り遊技が実行されていない状態である、
ことを特徴とする遊技台。
【請求項５】
請求項１乃至４のうちいずれか一項に記載の遊技台であって、
前記複数種類の先読み予告のうちの一の先読み予告は、第三の先読み予告であり、
前記第三の先読み予告は、前記第二の先読み予告と合わせて実行可能な先読み予告である、
ことを特徴とする遊技台。
【請求項６】
請求項５に記載の遊技台であって、
前記第三の先読み予告の開始契機は、前記第二の先読み予告の開始契機と同一の開始契機である、
ことを特徴とする遊技台。
【請求項７】
請求項１乃至６のうちいずれか一項に記載の遊技台であって、
前記装飾図柄の停止表示は、当否判定の結果に関連する表示である、
ことを特徴とする遊技台。
【請求項８】
請求項７に記載の遊技台であって、
前記第一の先読み予告は、前記当否判定の結果が大当りの場合に、実行されることがある先読み予告である、
ことを特徴とする遊技台。
【請求項９】
請求項７又は８に記載の遊技台であって、
前記第二の先読み予告は、前記当否判定の結果が大当りの場合に、実行されることがある先読み予告である、
ことを特徴とする遊技台。
【請求項１０】
請求項７乃至９のうちいずれか一項に記載の遊技台であって、
前記第一の先読み予告は、前記当否判定の結果がハズレの場合に、実行されることがある先読み予告である、
ことを特徴とする遊技台。
【請求項１１】
請求項７乃至１０のうちいずれか一項に記載の遊技台であって、
前記第二の先読み予告は、前記当否判定の結果がハズレの場合に、実行されることがある先読み予告である、
ことを特徴とする遊技台。
【請求項１２】
請求項１乃至１１のうちいずれか一項に記載の遊技台であって、
制御コマンドを送信可能な第一の制御手段を備えた、
ことを特徴とする遊技台。
【請求項１３】
請求項１２に記載の遊技台であって、
前記制御コマンドを受信可能な第二の制御手段を備えた、
ことを特徴とする遊技台。
【請求項１４】
請求項１３に記載の遊技台であって、
複数の制御基板を備え、
前記複数の制御基板のうちの一の制御基板は、第一の制御基板であり、
前記複数の制御基板のうちの一の制御基板は、第二の制御基板であり、
前記第一の制御手段は、前記第一の制御基板を含んで構成される制御手段であり、
前記第二の制御手段は、前記第二の制御基板を含んで構成される制御手段である、
ことを特徴とする遊技台。
【請求項１５】
請求項１乃至１４のうちいずれか一項に記載の遊技台であって、
前記遊技台は、ぱちんこ機である、
ことを特徴とする遊技台。
【手続補正２】
【補正対象書類名】明細書
【補正対象項目名】０００７
【補正方法】変更
【補正の内容】
【０００７】
上記目的を解決する本発明の遊技台は、
先読み予告手段を備えた遊技台であって、
前記先読み予告手段は、複数種類の先読み予告を実行可能な手段であり、
前記複数種類の先読み予告のうちの一の先読み予告は、第一の先読み予告であり、
前記複数種類の先読み予告のうちの一の先読み予告は、第二の先読み予告であり、
前記第一の先読み予告は、表示による報知を含む先読み予告であり、
前記第二の先読み予告は、音による先読み予告であり、
前記第一の先読み予告が第一の状態において実行開始される確率は、第一の確率であり、
前記第一の先読み予告が第二の状態において実行開始される確率は、第二の確率であり、
前記第二の先読み予告が前記第一の状態において実行開始される確率は、第三の確率であり、
前記第二の先読み予告が前記第二の状態において実行開始される確率は、前記第三の確率であり、
前記第二の確率は、前記第一の確率よりも高い確率であり、
前記第一の状態は、装飾図柄の停止表示が少なくとも実行されている状態であり、
前記第二の状態は、前記装飾図柄の変動表示が少なくとも実行されている状態である、
ことを特徴とする。
【手続補正３】
【補正対象書類名】明細書
【補正対象項目名】０７９１
【補正方法】変更
【補正の内容】
【０７９１】
また、『図柄変動表示を少なくとも実行可能な図柄表示手段（例えば、特図表示装置２１２，２１４）と、
複数種類の先読み予告（例えば、図５１（ａ）に示す複数種類の先読み演出）を少なくとも実行可能な先読み予告手段（例えば、装飾図柄表示装置２０８やスピーカ１２０）と、
を備えた遊技台であって、
前記図柄表示手段は、当否判定の結果に対応した図柄態様（例えば、図５（ａ）に示す特図の停止図柄態様）を少なくとも停止表示可能なものであり、
前記先読み予告手段は、前記複数種類の先読み予告のうちの少なくともいずれか一種類の先読み予告を、前記図柄変動表示中における第一の時点（例えば、スーパーリーチ演出前の時点）に、第一の確率（例えば、図５１（ｄ）に示す抽選テーブルで規定された乱数範囲に基づく確率）で少なくとも実行可能なものであり、
前記先読み予告手段は、前記複数種類の先読み予告のうちの少なくともいずれか一種類の先読み予告を、前記停止表示中における第二の時点（例えば、確定表示中のある時点）に、第二の確率（例えば、図５１（ｅ）に示す抽選テーブルで規定された乱数範囲に基づく確率）で少なくとも実行可能なものであり、
前記第二の確率は、前記第一の確率よりも低い確率である、
ことを特徴とする遊技台。』についても説明した。
また、以上の説明では、
『  先読み予告手段［例えば、装飾図柄表示装置２０８やスピーカ１２０］を備えた遊技台であって、
前記先読み予告手段は、複数種類の先読み予告［例えば、図５１（ａ）に示す５種類の先読み演出］を実行可能な手段であり、
前記複数種類の先読み予告のうちの一の先読み予告は、第一の先読み予告であり、
前記複数種類の先読み予告のうちの一の先読み予告は、第二の先読み予告であり、
前記第一の先読み予告は、表示による報知を含む先読み予告［例えば、演出Ａ（先読み演出１）］であり、
前記第二の先読み予告は、音による先読み予告［例えば、演出Ｂ（先読み演出２）であって段落０６３２に記載の音による先読み演出］であり、
前記第一の先読み予告が第一の状態において実行開始される確率は、第一の確率［例えば、図５１（ｅ）に示す抽選テーブルから０％］であり、
前記第一の先読み予告が第二の状態において実行開始される確率は、第二の確率［例えば、図５１（ｄ）に示す抽選テーブルから４％］であり、
前記第二の先読み予告が前記第一の状態において実行開始される確率は、第三の確率［例えば、図５１（ｅ）に示す抽選テーブルから１］であり、
前記第二の先読み予告が前記第二の状態において実行開始される確率は、前記第三の確率［例えば、図５１（ｄ）に示す抽選テーブルから１％］であり、
前記第二の確率は、前記第一の確率よりも高い確率であり、
前記第一の状態は、装飾図柄の停止表示が少なくとも実行されている状態であり、
前記第二の状態は、前記装飾図柄の変動表示が少なくとも実行されている状態である、
ことを特徴とする遊技台。』
について説明した。
また、
『  図柄表示手段［例えば、特図表示装置２１２，２１４］を備え、
前記図柄表示手段は、図柄変動表示［例えば、特図の図柄変動表示］を実行可能な手段であり、
保留消化条件の成立があった場合に、保留が消化されるように構成されており、
前記保留消化条件の成立要件は、前記図柄変動表示の開始が保留されている前記保留の数が１以上であることを含む要件であり、
前記図柄変動表示は、前記保留が消化されたことに応じて開始される表示であり、
前記装飾図柄の変動表示は、前記図柄変動表示に合わせて実行が開始される表示であり、
前記装飾図柄の停止表示は、前記図柄変動表示の終了に合わせて実行が開始される表示であり、
前記第一の状態は、前記保留の数が１以上［例えば、図５１（ｅ）に示す抽選テーブルの入賞時保留数１以上］の状態である、
ことを特徴とする遊技台。』
についても説明した。
また、
『  前記図柄変動表示は、特別図柄の確定表示を含む表示であり、
前記装飾図柄の停止表示は、前記確定表示に応じて開始される表示［例えば、装飾図柄の確定表示］である、
ことを特徴とする遊技台。』
についても説明した。
また、
『  前記第一の状態は、大当り遊技が実行されていない状態［例えば、図５０に示すステップＳ３０９７ｂにおける所定条件を満足した状態］である、
ことを特徴とする遊技台。』
についても説明した。
また、
『  前記複数種類の先読み予告のうちの一の先読み予告は、第三の先読み予告であり、
前記第三の先読み予告は、前記第二の先読み予告と合わせて実行可能［例えば、段落０７１２、段落０７１８、段落０７２２の記載から、一部が重なって実行されてもよいし、全部が重なって実行されてもよい］な先読み予告［例えば、段落０６３２に記載の音以外の種類の先読み演出］である、
ことを特徴とする遊技台。』
についても説明した。
また、
『  前記第三の先読み予告の開始契機は、前記第二の先読み予告の開始契機と同一の開始契機である［例えば、段落０７１２、段落０７１８、段落０７２２の記載から、開始時期は同じであるが、終了タイミングは異なってもよいし終了タイミングまで同じであってもよい］、
ことを特徴とする遊技台。』
についても説明した。
また、
『  前記装飾図柄の停止表示は、当否判定の結果に関連する表示である、
ことを特徴とする遊技台。』
についても説明した。
また、
『  前記第一の先読み予告は、前記当否判定の結果が大当りの場合に、実行されることがある先読み予告である、
ことを特徴とする遊技台。』
についても説明した。
また、
『  前記第二の先読み予告は、前記当否判定の結果が大当りの場合に、実行されることがある先読み予告である、
ことを特徴とする遊技台。』
についても説明した。
また、
『  前記第一の先読み予告は、前記当否判定の結果がハズレの場合に、実行されることがある先読み予告である、
ことを特徴とする遊技台。』
についても説明した。
また、
『  前記第二の先読み予告は、前記当否判定の結果がハズレの場合に、実行されることがある先読み予告である、
ことを特徴とする遊技台。』
についても説明した。
また、
『  制御コマンドを送信可能な第一の制御手段［例えば、主制御部３００］を備えた、
ことを特徴とする遊技台。』
についても説明した。
また、
『  前記制御コマンドを受信可能な第二の制御手段［例えば、第１副制御部４００］を備えた、
ことを特徴とする遊技台。』
についても説明した。
また、
『  複数の制御基板を備え、
前記複数の制御基板のうちの一の制御基板は、第一の制御基板［例えば、基本回路３０２］であり、
前記複数の制御基板のうちの一の制御基板は、第二の制御基板［例えば、基本回路４０２］であり、
前記第一の制御手段は、前記第一の制御基板を含んで構成される制御手段であり、
前記第二の制御手段は、前記第二の制御基板を含んで構成される制御手段である、
ことを特徴とする遊技台。』
についても説明した。
また、
『  前記遊技台は、ぱちんこ機［例えば、図１等に示すパチンコ機１００］である、
ことを特徴とする遊技台。』
についても説明した。